(57)【特許請求の範囲】
【請求項１】
無線端末と、マルチビーム形成を行なって前記無線端末と情報の送受信を行なう無線基地局と、をそなえた無線通信システムにおける通信方法であって、
前記無線端末は、
前記無線基地局にランダムアクセスするためのランダムアクセス情報を、前記無線端末がマルチビームの指向性毎の受信品質に基づいて選択したビームに対応付けられた、周波数又は時間領域で分割されたランダムアクセスチャネルの無線リソースのいずれかにて送信し、
前記無線基地局は、
前記ランダムアクセスチャネルの無線リソースによって送信された前記ランダムアクセス情報を、前記ランダムアクセスチャネルの無線リソース毎に対応付けられたランダムアクセスチャネル受信部にて検出して前記無線端末が前記選択したビームを検出する、
ことを特徴とする、無線通信システムにおける通信方法。
【請求項２】
前記無線端末が前記ランダムアクセス情報を送信する前記無線リソースは、前記無線基地局からマルチビームにて受信された情報のビーム毎の受信品質に基づいて選択される、ことを特徴とする、請求項１記載の無線通信システムにおける通信方法。
【請求項３】
前記無線基地局の前記ランダムアクセスチャネル受信部による受信処理は、前記マルチビームの形成に用いた重み係数と同じ重み係数を用いた受信ビームフォーミングを含む、ことを特徴とする、請求項２記載の無線通信システムにおける通信方法。
【請求項４】
無線端末と、マルチビーム形成を行なって前記無線端末と情報の送受信を行なう無線基地局と、をそなえた無線通信システムにおける前記無線端末であって、
ビームに対応付けられた、周波数又は時間領域で分割された無線リソースのいずれかをマルチビームの指向性毎の受信品質に基づいて選択する選択手段と、
前記選択手段で選択された無線リソースにて前記無線基地局にランダムアクセスするためのランダムアクセス情報を送信することにより、前記無線基地局に、周波数又は時間領域で分割されたランダムアクセスチャネルの無線リソース毎に対応付けられたランダムアクセスチャネル受信部にて前記ランダムアクセス情報を検出させて前記選択手段で選択したビームを検出させる送信手段と、
をそなえたことを特徴とする、無線通信システムにおける無線端末。
【請求項５】
前記選択手段は、
前記無線基地局からマルチビームにて受信された情報の受信品質に基づいて、前記ランダムアクセス情報を送信する前記無線リソースを選択する、ことを特徴とする、請求項４記載の無線通信システムにおける無線端末。
【請求項６】
前記選択手段は、
前記選択の基礎となる、前記マルチビームと前記無線リソースとの対応関係を保持するメモリをそなえたことを特徴とする、請求項４又は５に記載の無線通信システムにおける無線端末。
【請求項７】
前記対応関係を前記無線基地局から受信して前記メモリに設定する設定手段をさらにそなえたことを特徴とする、請求項６記載の無線通信システムにおける無線端末。
【請求項８】
無線端末と、マルチビーム形成を行なって前記無線端末と情報の送受信を行なう無線基地局と、をそなえた無線通信システムにおける前記無線基地局であって、
前記マルチビームを形成して前記無線端末宛の情報を送信する送信手段と、
前記無線端末がマルチビームの指向性毎の受信品質に基づいて選択したビームに対応付けられた、周波数又は時間領域で分割されたランダムアクセスチャネルの無線リソースのいずれかにて前記無線端末が送信したランダムアクセス情報を、前記ランダムアクセスチャネルの無線リソース毎に対応付けられたランダムアクセスチャネル受信部にて検出して前記無線端末が前記選択したビームを検出する受信手段と、
をそなえたことを特徴とする、無線通信システムにおける無線基地局。
【請求項９】
前記受信手段は、
前記ランダムアクセスチャネル受信部のいずれかで、前記無線端末が送信した前記ランダムアクセス情報が受信されたことを検出する検出部と、
前記検出部で前記ランダムアクセス情報の受信が検出されると、前記無線端末宛の応答情報を生成して前記無線端末へ送信する応答情報生成部と、
をそなえたことを特徴とする、請求項８記載の無線通信システムにおける無線基地局。
【発明の詳細な説明】
【技術分野】
【０００１】
本発明は、無線通信システムにおける通信方法並びに無線端末及び無線基地局に関する。本発明は、例えば、無線端末が無線基地局と無線リンクを確立するためにランダムアクセスする際の通信に用いると好適である。
【背景技術】
【０００２】
無線通信システムにおいて、ＵＥ（User Equipment）が基地局（ＢＳ：Base Station）との無線リンクを確立するための一手法として、ランダムアクセスチャネル（ＲＡＣＨ：Random Access CHannel）を用いる場合がある。
【０００３】
３ＧＰＰで議論されているＬＴＥ（Long Term Evolution）仕様において、ＵＥがセルサーチを行なってＲＡＣＨ信号を送信可能となるまでのシーケンスを図２１に示す。なお、セルサーチについては、下記の非特許文献１の第5.1.7.3章に記述がある。
【０００４】
ＢＳ１００は、ダウンリンク（ＤＬ）の信号として、同期チャネル（ＳＣＨ：Synchronous CHannel）、参照信号（ＲＳ：Reference Signal）、ブロードキャストチャネル（ＢＣＨ：Broadcast CHannel）の各信号を周期的に送信している。
【０００５】
ここで、ＳＣＨは、ＵＥによる初期セルサーチに用いられるチャネルで、ＵＥ４００がダウンリンクの伝搬路（チャネル）をトレーニング（推定）するために用いるべきＲＳのパターンを段階的（階層的）に同定できるように、プライマリＳＣＨ（Ｐ−ＳＣＨ）と、セカンダリＳＣＨ（Ｓ−ＳＣＨ）とが規定されている。
【０００６】
ＲＳは、既存のＷ−ＣＤＭＡシステムにおいて用いられる共通パイロット信号に相当する信号で、ダウンリンクの伝搬路をトレーニングするために用いられる、ＢＳ１００とＵＥ４００との間で既知の信号（パターン）である。
【０００７】
ＲＳパターンは、５１０パターン等、複数用意されており、前記段階的なパターン同定のために、複数のグループにグループ分けされる。即ち、前記Ｐ−ＳＣＨの情報によりＲＳパターンのグループを同定し、前記Ｓ−ＳＣＨの情報により当該グループに属するＲＳパターンを同定することが可能となる。
【０００８】
ＢＣＨは、ＲＡＣＨ（ＲＡＣＨプリアンブル）に関する情報等、ＢＳ１００からＵＥ４００に報知すべき情報（以下、ＢＳ情報ともいう）の伝送に用いられるチャネルである。
【０００９】
ＵＥ４００は、まず、ＢＳ１００から周期的に送信されているＰ−ＳＣＨ及びＳ−ＳＣＨを受信すると、Ｐ−ＳＣＨの情報を基にＢＳ１００が送信しているＲＳパターンが属するグループを同定し、Ｓ−ＳＣＨの情報を基に同定したグループの中からＲＳパターンを同定する。
【００１０】
そして、ＵＥ４００は、同定したＲＳパターンを用いて、ＢＳ１００からのＤＬの伝搬路をトレーニングし、ＢＣＨを受信してＢＳ情報を収集し、ＲＡＣＨの送信可能な系列やタイミングを認識する。これにより、ＵＥ４００は、必要に応じて初期接続確立用のＲＡＣＨが送信可能となる。
【００１１】
なお、以上のようなシーケンスは、既存のＷ−ＣＤＭＡ方式でも類似している。また、ＬＴＥでは、前記ＳＣＨの送信に関して、ＰＶＳ（Precoding Vector Switching）と呼ばれる技術が議論されている（下記の非特許文献２参照）。その詳細については後述する。
【００１２】
【非特許文献１】3GPP TS 36.300 V8.2.0、［online］、平成１９年１０月５日、3rd Generation Partnership Project（3GPP）、［平成１９年１２月１１日検索］、インターネット＜ＵＲＬ：http://www.3gpp.org/ftp/Specs/html-info/36300.htm＞
【非特許文献２】3GPP TSG RAN WG1 Meeting #48bis（R1-071630）、NTT DoCoMo，Fujitsu, et al.、“Transmit Diversity Scheme for SCH in E-UTRA”、March 26-30,2007
【発明の開示】
【発明が解決しようとする課題】
【００１３】
ＲＡＣＨは、ＵＥが初期接続確立のためにＢＳに対して初めてアップリンク（ＵＬ）の送信を行なうのに用いられるものであるため、ＢＳは、ＤＬのＲＳのような、ＵＬの伝搬路をトレーニングするための信号をＲＡＣＨの受信前に受信することはない。そのため、ＢＳでのＲＡＣＨの受信品質が劣化する場合がある。
【００１４】
本発明の目的の一つは、無線端末が送信する情報の無線基地局での受信品質を改善することにある。
なお、前記目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１５】
前記の目的を達成するために、本明細書では、以下に示す「無線通信システムにおける通信方法並びに無線端末及び無線基地局」を開示する。
【００１６】
（１）即ち、ここに開示する通信方法は、無線端末と、マルチビーム形成を行なって前記無線端末と情報の送受信を行なう無線基地局と、をそなえた無線通信システムにおける通信方法であって、前記無線端末は、前記無線基地局宛の情報を、前記無線端末がマルチビームの指向性毎の受信品質に基づいて選択したビームに対応付けられた無線リソースのいずれかにて送信し、前記無線基地局は、前記無線リソースによって送信された前記情報を、当該無線リソースに対応付けられた前記指向性のビームによって受信する。
【００１７】
（２）ここで用いる前記無線リソースは、周波数又は時間領域で分割されたアップリンクのランダムアクセスチャネルの無線リソースである、又はランダムアクセスチャネルの無線リソースを符号化で分けたアクセススロットの無線リソースである、こととしてもよい。
【００１８】
（３）ここで、前記無線端末が前記無線基地局宛の情報を送信する前記無線リソースは、前記無線基地局からマルチビームにて受信された情報のビーム毎の受信品質に基づいて選択される、こととしてもよい。
【００１９】
（４）また、前記無線基地局の前記受信処理は、前記マルチビームの形成に用いた重み係数と同じ重み係数を用いた受信ビームフォーミングを含む、こととしてもよい。
【００２０】
（５）さらに、ここに開示する無線端末は、無線端末と、マルチビーム形成を行なって前記無線端末と情報の送受信を行なう無線基地局と、をそなえた無線通信システムにおける前記無線端末であって、ビームに対応付けられた無線リソースのいずれかをマルチビームの指向性毎の受信品質に基づいて選択する選択手段と、前記選択手段で選択された無線リソースにて前記無線基地局宛の情報を送信する送信手段と、をそなえる。
【００２１】
（６）ここで、前記選択手段は、前記無線基地局からマルチビームにて受信された情報の受信品質に基づいて、前記情報を送信する前記無線リソースを選択する、こととしてもよい。
【００２２】
（７）また、前記選択手段は、前記選択の基礎となる、前記マルチビームと前記無線リソースとの対応関係を保持するメモリをそなえてもよい。
【００２３】
（８）さらに、前記無線端末は、前記対応関係を前記無線基地局から受信して前記メモリに設定する設定手段をさらにそなえてもよい。
【００２４】
（９）また、ここに開示する無線基地局は、無線端末と、マルチビーム形成を行なって前記無線端末と情報の送受信を行なう無線基地局と、をそなえた無線通信システムにおける前記無線基地局であって、前記マルチビームを形成して前記無線端末宛の情報を送信する送信手段と、前記無線端末がマルチビームの指向性毎の受信品質に基づいて選択したビームに対応付けられた無線リソースのいずれかにて前記無線端末が送信した情報を、当該無線リソースに対応付けられた前記指向性のビームによって受信する受信手段と、をそなえる。
【００２５】
（１０）ここで、前記受信手段は、前記受信マルチビーム毎の前記無線リソース受信処理のいずれかで、前記無線リソースにて前記無線端末が送信した情報が受信されたことを検出する検出部と、前記検出部で前記受信が検出されると、前記無線端末宛の応答情報を生成して前記無線端末へ送信する応答情報生成部と、をそなえてもよい。
【発明の効果】
【００２６】
上述した開示技術によれば、無線端末が送信する無線リンク確立のための情報の、無線基地局での受信品質を改善することが可能である。
【発明を実施するための最良の形態】
【００２７】
以下、図面を参照して本発明の実施の形態を説明する。ただし、以下に説明する実施形態は、あくまでも例示であり、以下に明示しない種々の変形や技術の適用を排除する意図はない。即ち、本発明は、その趣旨を逸脱しない範囲で種々変形（各実施例を組み合わせる等）して実施することができる。
【００２８】
〔１〕概要説明
ＯＦＤＭやＯＦＤＭＡ、Ｗ−ＣＤＭＡ等の無線通信システムにおいて、無線基地局であるＢＳ（あるいはeNodeB）とユーザ端末（無線端末）であるＵＥとの間の通信については、伝搬路トレーニング用途のＲＳを参照することで、ＭＭＳＥ（Minimum Mean Square Estimation）等の高機能な受信手法を用いることで受信感度を改善することが可能である。
【００２９】
これに対して、先に述べたように、ＵＬのＲＡＣＨについては、ＲＳを適用することができない。そこで、ＲＡＣＨのＢＳでの受信品質を改善する手法としては、複数の受信アンテナ間で電力合成して系列判定を行なうことが考えられるが、伝搬路損失が大きいと不十分な場合もある。
【００３０】
一方、３ＧＰＰでは、ＬＴＥ仕様において、ＵＥがＤＬの同期を確立するための初期セルサーチ用のＳＣＨを送信するビームを周期的に切り替える、詳細には、ビームフォーミング（アンテナ指向性制御）のためにＳＣＨに乗じる重み係数（プリコーディングベクトル）を周期的に変更する、ＰＶＳと呼ばれる技術が議論されている（前記の非特許文献１参照）。
【００３１】
この技術は、例えば図１に模式的に示すように、ＢＳ１０において、所定周期（例えば、１０ｍｓ周期）の無線フレームの第１の部分（前半部：５ｍｓ）と第２の部分（後半部：５ｍｓ）のそれぞれの期間に、Ｐ−ＳＣＨ（の情報）とＳ−ＳＣＨ（の情報）とを組で挿入し、前半部と後半部とで異なる重み係数を乗じることで、異なるアンテナ指向性のビームを形成し、これらのビームを時間領域で周期的（５ｍｓ毎に）に切り替えて送信する技術である。なお、ここでは、説明の便宜上、前半部を送信するビームをビームＡ、後半部を送信するビームをビームＢと表記している。
【００３２】
このようにすることで、オムニビームで固定的にＳＣＨを送信する場合に比して、一度でＳＣＨを受信できるＵＥの数を確率的に増加することができる。また、ＢＳ１０に、送信アンテナ毎に設けられる送信パワーアンプの使用率を平均化してその利用効率を向上することも可能である。
【００３３】
なお、前記無線フレームは、例えば、ＯＦＤＭ（あるいはＯＦＤＭＡ）方式等における無線フレームである。また、前記周期は、数十ｍｓに適宜拡張することが可能である。
【００３４】
このようなＰＶＳ技術を適用する場合、ＵＥは、その位置や伝搬環境によって、異なる時間に異なるビームのＳＣＨを受信できることになる。したがって、ＵＥは、各ビームの受信状態（品質）を比較して、受信状態が良好なビーム（ビームフォーミングに用いた重み係数）でＲＡＣＨ（プリアンブル）を受信するようＢＳ１０に通知（要求）すれば、ＢＳ１０でのＵＬのＲＡＣＨの受信品質を改善することが可能となる。
【００３５】
例えば図２に模式的に示すように、ＢＳ１０は、ＰＶＳにより１０ｍｓ区間でビームＡとビームＢとを５ｍｓ周期で切り替えてＳＣＨを送信し、ＵＥ４０は、受信したＳＣＨのパターンをキャンセル（ＳＣＨのスクランブリングを解除）した後に電力化し、ビームＡの受信電力と、ビームＢの受信電力とを比較することで、どちらのビームの方が伝搬路の損失が小さかったのかを判定することができる。なお、伝搬路の状態を判定する指標には、前記受信電力に限らず、受信ＳＮＲ（Signal to Noise Ratio）や受信ＢＬＥＲ（Block Error Rate）等を適用してもよい。。
【００３６】
そこで、ＵＥ４０は、ＲＡＣＨ（プリアンブル）を送信するにあたって、より伝搬路損失の小さいビームで受信して欲しい旨をＢＳ１０に対して通知することができれば、ＢＳ１０は、当該伝搬路損失の小さいビームにてＵＥ４０からのＲＡＣＨを受信することができるから、ＲＡＣＨの受信品質を改善することができる。
【００３７】
（ＲＡＣＨアクセススロット番号の使用法１）
このようにＵＥ４０がＲＡＣＨをＢＳ１０に送信する際に伝搬路損失のより小さいビームをＢＳに通知（指定）するための手法の一つとして、例えば図３及び下記の表１に示すように、ＲＡＣＨのアクセススロット（プリアンブル）番号を用いることができる。ＲＡＣＨのアクセススロットは、ＵＬの無線リソースの一つ、より詳しくは、ＲＡＣＨの無線リソースを符号化で分けたアクセススロットの一つであり、例えばスクランブルコード等の所定のコードでスロット識別される。
【００３８】
【表１】
0005588594.tif 000002
【００３９】
即ち、ＲＡＣＨのアクセススロット数が６４個あると仮定して、その６４スロットのうち、例えば、１〜４８番のＲＡＣＨアクセススロットをＵＥ４０が初期接続（Initial）に用いるスロット、残りの４９〜６４番のＲＡＣＨアクセススロットをＵＥ４０が個別接続に用いるスロットとして定義するとともに、初期接続用の１〜４８番のＲＡＣＨアクセススロットのうち、例えば、１〜２４番のＲＡＣＨアクセススロットをビームＡでのＲＡＣＨ受信を要求するスロット、残りの２５〜４８番のＲＡＣＨアクセススロットをビームＢでのＲＡＣＨ受信を要求するスロットと定義（対応付け）しておく。
【００４０】
そして、ＵＥ４０は、ビームＡでのＲＡＣＨ受信をＢＳ１０に要求するならば、１〜２４番のＲＡＣＨアクセススロット（グループ）の中からいずれか１つを選択し、ビームＢでのＲＡＣＨ受信をＢＳ１０に要求するならば、２５〜４８番のＲＡＣＨアクセススロット（グループ）の中からいずれか１つを選択して、選択したスロットにてＲＡＣＨの送信を行なう。ここでの選択は、ランダムに行なってもよいし、何らかの所定のルールに従って行なうこととしてもよい（以下、同様）。
【００４１】
以上のようなビーム毎にＲＡＣＨアクセススロットの対応付け（グルーピング）を行なうことで、本例のＲＡＣＨアクセススロット（ＲＡＣＨプリアンブル）は、ＵＥ４０からＢＳ１０に対する接続要求としての意義と、当該ＲＡＣＨプリアンブルをＢＳ１０が受信するのに好適あるいは最適なビームをＵＥ４０からＢＳ１０に通知（指定）する意義とを有する。
【００４２】
なお、個別接続用の４９〜６４番のＲＡＣＨアクセススロット（個別ＲＡＣＨプリアンブル）は、例えば、ＵＥ４０が異なるＢＳ１０に接続を切り替えるハンドオーバ（ＨＯ）を実施する場合やスケジューリングリクエスト（ＳＲ）を送信する場合等において、ＵＥ４０に個別（Dedicated）に割り当てることが可能なスロットである。
【００４３】
また、図５に、ＲＡＣＨアクセススロット（ＲＡＣＨプリアンブル）の送信フォーマット例を示す。このフォーマットは、例えば前記ＢＣＨにてＢＳ１０からＵＥ４０に対して通知（指定）される。この図５に示す限定的でない例では、１０ｍｓの区間に２回のＲＡＣＨの送信機会があり、かつ、周波数ホッピングによりそれぞれの送信機会で異なる周波数を利用する様子を示している。このような送信機会のそれぞれにおいて、例えば図６に示すように、前記複数（６４個）のＲＡＣＨアクセススロットが存在する。つまり、ＲＡＣＨアクセススロットは、周波数又は時間領域で分割されたＵＬの無線リソースの一つであればよい。
【００４４】
（ＲＡＣＨアクセススロット番号の使用法２）
別の手法としては、例えば下記の表２に示すように、１〜４８番の初期接続用のＲＡＣＨアクセススロットのうち、奇数番号のＲＡＣＨアクセススロットをビームＡでのＲＡＣＨ受信をＢＳ１０に要求するスロット、偶数番号のＲＡＣＨアクセススロットをビームＢでのＲＡＣＨ受信をＢＳ１０に要求するスロットとして定義（対応付け）することも可能である。
【００４５】
【表２】
0005588594.tif 000003
【００４６】
この場合、ＵＥ４０は、ビームＡでのＲＡＣＨ受信をＢＳ１０に要求するならば、奇数番号のアクセススロットの中からいずれか１つを選択し、ビームＢでのＲＡＣＨ受信をＢＳ１０に要求するならば、偶数番号のアクセススロットの中からいずれか１つを選択して、ＲＡＣＨ送信を行なう。なお、初期接続用のＲＡＣＨアクセススロットのビーム毎のグループ分けの方法は自由であり、偶数、奇数番号によるグループ分け以外のグループ分けを行なってもよい。
【００４７】
（ＲＡＣＨアクセススロット番号の使用法３）
また、ＢＳ１０が送信するＳＣＨのビーム数は２に限定されず、３以上の場合もある。例えば、ＢＳ１０が送信するビーム数が４である場合は、ＲＡＣＨアクセススロットの使用法を下記の表３に示すように定義することも可能である。
【００４８】
【表３】
0005588594.tif 000004
【００４９】
ここで、４つのビームをビームＡ，Ｂ，Ｃ，Ｄとして区別した場合、１〜４８番の初期接続用のＲＡＣＨアクセススロットのうち、１〜１２番のＲＡＣＨアクセススロットをビームＡでのＲＡＣＨ受信をＢＳ１０に要求するスロット、１３〜２４番のＲＡＣＨアクセススロットをビームＢでのＲＡＣＨ受信をＢＳ１０に要求するスロット、２５〜３６番のＲＡＣＨアクセススロットをビームＣでのＲＡＣＨ受信をＢＳ１０に要求するスロット、３７〜４８番のＲＡＣＨアクセススロットをビームＤでのＲＡＣＨ受信をＢＳ１０に要求するスロット、として定義（対応付け）することが可能である。
【００５０】
この場合、ＵＥ４０は、受信した４つのビームＡ〜Ｄのうち、受信状態が良好あるいは最適なビームＡ〜Ｄのいずれかに対応するＲＡＣＨアクセススロットの中からいずれか１つを選択し、選択したスロットにてＢＳ１０に対してＲＡＣＨ送信を行なう。
【００５１】
なお、４つのビームＡ〜Ｄは、例えば、図１に示した無線フレームを前提とするならば、当該無線フレーム２つ分の区間（２０ｍｓ）において２回ずつ送信されるＳＣＨ（Ｐ−ＳＣＨ及びＳ−ＳＣＨの組）のビームフォーミングにおいて、それぞれ異なる重み係数を適用することで形成でき、その場合、５ｍｓ周期で異なるビーム間のビーム切り替えを行なえることになる。
【００５２】
（ＲＡＣＨアクセススロット番号の使用法４）
また、ＨＯ用等の用途でＵＥ個別に割り当てられる個別のＲＡＣＨアクセススロットについても、例えば図４及び下記の表４に示すように、ビーム毎の定義付けを行なうことが可能である。
【００５３】
【表４】
0005588594.tif 000005
【００５４】
即ち、図４及び表４に示す例では、４９〜６４番の個別接続用のＲＡＣＨアクセススロット（ＲＡＣＨプリアンブル）のうち、４９〜５６番のＲＡＣＨアクセススロットをビームＡでのＲＡＣＨ受信をＢＳ１０に要求するスロット、残りの５７〜６４番のＲＡＣＨアクセススロットをビームＢでのＲＡＣＨ受信をＢＳ１０に要求するスロットとしてそれぞれ定義（対応付け）することができる。
【００５５】
この場合、ＢＳ１０からＵＥ４０に対して、ＨＯ用等のためにＵＥ４０個別にＲＡＣＨアクセススロットを割り当てる際に、各ビームＡ，Ｂ用のスロット番号の組（例えば、４９番と５７番）を割り当てれば、ＵＥ４０は、ＨＯ元ＢＳ（ソースＢＳ）１０及びＨＯ先ＢＳ（ターゲットＢＳ）１０のそれぞれに対して、ＲＡＣＨ受信を希望するビームを、送信するＲＡＣＨアクセススロット（番号）で指定（通知）することが可能となる。したがって、初期接続時に限らず、個別のＲＡＣＨアクセススロット使用時にもＲＡＣＨの受信品質を改善することが可能である。
【００５６】
（ＲＡＣＨアクセススロット番号の使用法５）
なお、上述した例は、個々のＲＡＣＨの送信機会における６４個のＲＡＣＨアクセススロット単位でＢＳ１０でのＲＡＣＨの受信ビームを指定する手法であるが、ＲＡＣＨの送信機会毎に、ＢＳ１０でのＲＡＣＨの受信ビームを指定することも可能である。
【００５７】
例えば図７に示すように、１０ｍｓの区間に２回のＲＡＣＨの送信機会があり、かつ、周波数ホッピングによりそれぞれの送信機会で異なる周波数を利用する場合、一方の送信機会はビームＡでのＲＡＣＨ受信、他方の送信機会はビームＢでのＲＡＣＨ受信をそれぞれＵＥ４０からＢＳ１０に対して要求する機会であると定義することが可能である。
【００５８】
この場合は、上位レイヤにてＲＡＣＨアクセススロット番号とＢＳ１０での受信ビームとを対応付けて、ＢＳ１０とＵＥ４０とで共通認識化（情報共有）するのではなく、ＲＡＣＨの送信機会とＢＳ１０での受信ビームとを対応付けて、ＢＳ１０とＵＥ４０とで共通認識化（情報共有）することになる。
【００５９】
（ＢＳ１０でのＲＡＣＨ受信処理）
次に、上述のごとくＵＥ４０がＳＣＨのビーム受信状態に基づいてＲＡＣＨアクセススロット番号を選択してＢＳ１０へＲＡＣＨ送信した場合の、ＢＳ１０でのＲＡＣＨ受信処理の概要について説明する。
【００６０】
図８に示すように、ＢＳ１０は、例えば、複数の受信アンテナ２１と、ビームフォーマ（受信ビームフォーマ）２５と、ＢＳ１０が送信するビーム数（Ａ，Ｂ）に応じた数のＲＡＣＨ受信処理部２６Ａ，２６Ｂとをそなえる。受信アンテナ２１で受信された信号は、ビームフォーマ２５にて、ＳＣＨを送信する各ビームＡ，Ｂの形成（ビームフォーミング）にそれぞれ用いた重み係数（プリコーディングベクトル）にて受信ビーム処理されることで、ビームＡの受信信号とビームＢの受信信号とに分離される。
【００６１】
分離された受信信号は、それぞれ対応するＲＡＣＨ受信処理部２６Ａ，２６Ｂに入力され、ＲＡＣＨ受信処理部２６Ａは、一方のビームＡ用として定義されたＲＡＣＨアクセススロット（番号）の検出処理（ビームＡ用の各ＲＡＣＨプリアンブルパターンとのスロット単位の相関演算処理）を行ない、ＲＡＣＨ受信処理部２６Ｂは、他方のビームＢ用として定義されたＲＡＣＨアクセススロット（番号）の検出処理（ビームＢ用の各ＲＡＣＨプリアンブルパターンとのスロット単位の相関演算処理）を行なう。
【００６２】
つまり、ＢＳ１０は、ビーム毎に定義されたＲＡＣＨアクセススロットについてスロット単位の検出処理を実施する。したがって、ＲＡＣＨアクセススロットの検出処理数は従来と変わらないため、処理量は増加しない。
【００６３】
なお、ＢＳ１０は、例えば図９又は図１０に示すように構成してもよい。
図９に示すＢＳ１０は、ビームＡ，Ｂ以外の受信信号（ＲＡＣＨアクセススロット）について既存のＲＡＣＨ受信処理を実施するＲＡＣＨ受信処理部２６Ｃ（斜線部参照）を、図８の構成に対して追加的に設けたものである。
【００６４】
この図９に示す構成では、ビームＡ，Ｂ以外の受信信号についてはビームフォーマ２５にて受信ビームフォーミングを行なわずに分離して当該ＲＡＣＨ受信処理部２６Ｃで受信処理する。このＲＡＣＨ受信処理部２６Ｃでの処理対象となる信号は、例えば前記表１に示した、個別用のＲＡＣＨアクセススロット（個別ＲＡＣＨプリアンブル）である。
【００６５】
一方、図１０に示すＢＳ１０は、ＳＣＨ（Ｐ−ＳＣＨ，Ｓ−ＳＣＨ）を送信するのに用いたビーム（重み係数）に加えて、当該ビームの指向性に近い別のビームを形成して、これら複数のビームで特定のＲＡＣＨアクセススロットの受信処理を行なう。
【００６６】
例えば、この図１０に示す例では、ＳＣＨの送信に用いたビームＡに関して、当該ビームＡと指向性が近い２つのビームＡ１，Ａ２を形成し、これら３つのビームＡ，Ａ１，Ａ２のそれぞれについてビームＡ用として定義（対応付け）されたＲＡＣＨアクセススロットの検出処理を実施する。つまり、この場合は、ＢＳ１０がＰＶＳにより形成するマルチビームのうち隣接するいずれか複数を、同じビームＡ用のＲＡＣＨアクセススロット（無線リソース）と対応付けしておくのである。
【００６７】
そのため、ＢＳ１０には、ビームＡ，Ａ１，Ａ２に対応して３つのＲＡＣＨ受信処理部２６Ａがそなえられる。そして、そのいずれかでＲＡＣＨの受信が検出されたかをＲＡＣＨ検出判定部３０で判定する。
【００６８】
これは、ＤＬとは逆のＵＬの伝搬路をトレーニングするために誤差が生じる場合があることを想定して、予めＤＬのＳＣＨの送信に用いたビームＡの系列に関して複数のビームＡ，Ａ１，Ａ２を形成して受信処理を行ない、この複数ビームＡ，Ａ１，Ａ２で誤差を修正して好適あるいは最適な伝搬路を選択できるようにチューニングしたものである。
【００６９】
最適な伝搬路を選択できたものが最も検出能力が高いので、ＲＡＣＨ検出判定部３０では、複数のＲＡＣＨ受信処理部２６ＡのいずれかでＲＡＣＨ受信を検出できたかの判定（ＯＲ判定）となっている。
【００７０】
なお、図１０に示す例では、ビームＡの系列についてのみ複数ビームでＲＡＣＨ受信処理するイメージとなっているが、他のビームＢの系列についても代替的あるいは付加的に同様のＲＡＣＨ受信処理を実施することも可能である。また、ＳＣＨを送信するビームＡに対して形成する補助的なビームの数は、２に限定されない。１でもよいし３以上でもよい。
【００７１】
（伝搬路のトレーニングタイミング）
次に、ＵＥ４０がＤＬの伝搬路をトレーニングするタイミングについて、図１１を用いて説明する。
【００７２】
ＳＣＨ（Ｐ−ＳＣＨ，Ｓ−ＳＣＨ）は、ＵＥ４０がＢＳ１０とＤＬの同期を確立するためのチャネルであるから、報知チャネルの一種であり、既述のように周期的に（例えば、１０ｍｓ周期で）ＢＳ１０から送信されている。
【００７３】
通常、ＵＥ４０は、電源投入された後等に、ＢＣＨの情報を受信すると、自局４０の加入者情報等を、例えばＬＴＥであればＭＭＥ（Mobility Management Entity）経由でＨＳＳ（Home Subscriber Server）に登録するためにＲＡＣＨ信号を送信する。その際に、本提案のＲＡＣＨアクセススロット番号指定によるビーム受信手法を適用することができる。図１１は、そのような場合のＤＬの伝搬路トレーニングについて、好適な手法を示している。
【００７４】
図２１で説明した従来技術のシーケンスでは、ＵＥ４０は、ＲＡＣＨを送信するタイミングに関わらず、最初に受信したＳＣＨを用いてＤＬの伝搬路をトレーニングするが、その後にＲＡＣＨを実際に送信するタイミングとの時間差が大きいと、その間に伝搬路環境が変動してしまっている場合がある。
【００７５】
そこで、図１１に示すように、ＵＥ４０は、ＲＡＣＨを送信するタイミングにより近いタイミング、好ましくは直前のタイミングで受信したＳＣＨにてＤＬの伝搬路のトレーニングを行なう。つまり、ＵＥ４０は、ＵＬのＲＡＣＨの送信タイミングに応じて、ＤＬの伝搬路トレーニングに用いるＳＣＨを適応的に選択するのが好ましい。
【００７６】
以下、上述したＲＡＣＨアクセススロット番号を用いたＲＡＣＨの受信ビーム指定機能を実現するＢＳ１０及びＵＥ４０の詳細な一例について説明する。なお、以下においても、ＳＣＨの送信ビーム数は２に限定されないことはいうまでもない。
【００７７】
〔２〕第１実施例
図１２は、ＢＳ１０の構成例を示すブロック図であり、図１３は、ＵＥ４０の構成例を示すブロック図である。これらの図１２及び図１３に示す構成は、前記の表１又は表２のように初期接続用のＲＡＣＨアクセススロット（番号）を２つのビームＡ，Ｂ用に分類した場合の実現例に相当する。
【００７８】
（ＢＳ１０について）
図１２に示すＢＳ１０は、例えば、Ｐ−ＳＣＨ生成部１１Ａ、Ｓ−ＳＣＨ生成部１１Ｂ、ＰＶＳ形成部１２Ａ，１２Ｂ、第１多重部１３、データ送信部１４、第２多重部１５、ＲＦ送信部１６、複数の送信アンテナ１７、複数の受信アンテナ２１、ＲＦ受信部２２、データ受信部２３、コピー部（メモリ）２４、ビームフォーマ（受信ビームフォーマ）２５Ａ，２５Ｂ、ＲＡＣＨ受信処理部２６Ａ，２６Ｂ、ＲＡＣＨレスポンス生成部２７、上位レイヤ処理部２８、ビーム指定部２９をそなえる。
【００７９】
Ｐ−ＳＣＨ生成部１１Ａは、ＤＬの前記Ｐ−ＳＣＨの情報を生成する機能を具備し、Ｓ−ＳＣＨ生成部１１Ｂは、ＤＬの前記Ｓ−ＳＣＨの情報を生成する機能を具備する。これらの生成部１１Ａ，１１Ｂで生成されたＳＣＨの情報は、それぞれ対応するＰＶＳ形成部１２Ａ，１２Ｂに入力される。
【００８０】
ＰＶＳ形成部１２Ａ，１２Ｂは、前記ＳＣＨの情報をＰＶＳにより周期的に切り替えて送信するための複数のビーム（マルチビーム）Ａ，Ｂを形成する機能を具備する。例えば、ＰＶＳ形成部１２Ａ，１２Ｂは、それぞれ、Ｐ−ＳＣＨ生成部１１Ａで生成されたＰ−ＳＣＨの情報とＳ−ＳＣＨ生成部１１Ｂで生成されたＳ−ＳＣＨの情報に対して、図１に示した１０ｍｓ周期の無線フレームの前半部（５ｍｓ）に相当するタイミングでは、第１のビームＡを形成するための第１の重み係数（プリコーディングベクトル）を乗じ、後半部（５ｍｓ）に相当するタイミングでは、第２のビームＢを形成するための第２の重み係数（プリコーディングベクトル）を乗じることで、前記ＰＶＳの複数ビームＡ，Ｂを形成する。つまり、ＰＶＳ形成部１２Ａ，１２Ｂは、マルチビームを形成してＵＥ１０宛の情報（ＳＣＨ）を送信する送信手段としての機能を果たす。
【００８１】
なお、前記プリコーディングベクトル及びその乗算タイミングは、例えば上位レイヤ処理部２８で管理され、点線矢印で示すようにビーム指定部２９を通じて指定される。
【００８２】
第１多重部１３は、前記重み係数を乗じられたＳＣＨの情報（Ｐ−ＳＣＨとＳ−ＳＣＨの組）を、図１に示した１０ｍｓ周期の無線フレームの前半部と後半部とにそれぞれ挿入すべく、時間多重して、第２多重部１５へ出力する。
【００８３】
データ送信部１４は、前記ＳＣＨ以外のＤＬの送信データ（前記ＲＳや、ＲＡＣＨレスポンス、各種制御データ、ユーザデータ等）を、必要に応じて符号化、変調する機能を具備する。
【００８４】
第２多重部１５は、前記無線フレームのフレームフォーマットに応じて、第１多重部１３により得られたＳＣＨの信号と、データ送信部１４により得られたＳＣＨ以外の前記ＤＬの送信データとを時間多重して、ＲＦ送信部１６へ出力する。
【００８５】
ＲＦ送信部１６は、第２多重部１５により得られた多重信号について、ＤＡ変換や送信無線周波数への周波数変換（アップコンバート）、所定の送信電力への電力増幅等の無線送信処理を施す。
【００８６】
送信アンテナ１７は、それぞれＲＦ送信部１６により得られたＤＬの送信無線信号を、ＢＳ１０の無線ゾーン（セル）に在圏するＵＥ４０に向けて送信する。
【００８７】
一方、受信アンテナ２１は、それぞれＢＳ１０の無線ゾーン（セル）に在圏するＵＥ４０が送信したＵＬの無線信号を受信する。
【００８８】
なお、送信アンテナ１７と受信アンテナ２１とは、ビームフォーミングのためにそれぞれ複数設けられている。
【００８９】
ＲＦ受信部２２は、受信アンテナ２１で受信された無線信号について、低雑音増幅、ベースバンド周波数への周波数変換（ダウンコンバート）、ＡＤ変換等の無線受信処理を施す。この無線受信処理を施された受信信号は、データ受信部２３とコピー部２４とにそれぞれ入力される。
【００９０】
データ受信部２３は、ＲＦ受信部２２で受信された信号について、必要に応じて復調、復号する機能を具備する。
【００９１】
コピー部２４は、ＲＦ受信部２２で受信された信号をコピーして同じ受信信号をビームフォーマ２５Ａ，２５Ｂにそれぞれ出力する。
【００９２】
ビームフォーマ２５Ａ，２５Ｂは、ＰＶＳによる前記マルチビームの形成に用いた重み係数（プリコーディングベクトル）と同じ重み係数を用いて受信マルチビームの形成を行なう。
【００９３】
例えば、ビームフォーマ２５Ａは、ＳＣＨを送信する各ビームＡ，Ｂの形成にそれぞれ用いた重み係数（プリコーディングベクトル）の一方（例えば、ビームＡ用の重み係数）と同じ重み係数をコピー部２４からの受信信号に乗じることで、一方のビームＡに相当する受信ビームで受信された信号を分離してＲＡＣＨ受信処理部２６Ａへ出力する。
【００９４】
同様に、ビームフォーマ２５Ｂは、ＳＣＨを送信する各ビームＡ，Ｂの形成にそれぞれ用いた重み係数の他方（例えば、ビームＢ用の重み係数）と同じ重み係数をコピー部２４からの受信信号に乗じることで、他方のビームＢに相当する受信ビームで受信された信号を分離してＲＡＣＨ受信処理部２６Ｂへ出力する。
【００９５】
なお、前記受信ビームを形成する重み係数及びその乗算タイミングについても、図１２中に点線矢印で示すように上位レイヤ処理部２８からビーム指定部２９を通じて指定される。
【００９６】
ＲＡＣＨ受信処理部２６Ａは、ビームフォーマ２５Ａにより得られた一方の受信ビームＡの受信信号についてビームＡ用として定義されたＲＡＣＨアクセススロットの検出処理（ＲＡＣＨプリアンブルとのスロット単位の相関演算処理）を実施する。
【００９７】
同様に、ＲＡＣＨ受信処理部２６Ｂは、ビームフォーマ２５Ｂにより得られた他方の受信ビームＢの受信信号についてビームＢ用として定義されたＲＡＣＨアクセススロットの検出処理（ＲＡＣＨプリアンブルとのスロット単位の相関演算処理）を実施する。
【００９８】
つまり、本例のビーム形成部２５Ａ，２５Ｂ及びＲＡＣＨ受信処理部２６Ａ，２６Ｂは、マルチビーム毎に対応付けられたＲＡＣＨアクセススロット（無線リソース）のいずれかにてＵＥ４０が送信した無線リンク確立のための情報を、前記マルチビームに対応する受信マルチビーム毎のＲＡＣＨアクセススロット受信処理により検出する、受信手段としての機能を果たす。
【００９９】
なお、ビームＡ，Ｂ用のＲＡＣＨアクセススロットの対応関係（前記の表１又は表２の情報）は、例えば上位レイヤ処理部２８にて管理されており、上位レイヤ処理部２８からＲＡＣＨ受信処理部２６Ａ，２６Ｂでの検出対象のＲＡＣＨアクセススロットが設定される。
【０１００】
ＲＡＣＨレスポンス生成部（応答情報生成部）２７は、ＲＡＣＨ受信処理部２６Ａ，２６Ｂのいずれか一方でＲＡＣＨアクセススロットの受信が検出された場合に、検出されたＲＡＣＨプリアンブルを送信したＵＥ４０宛のＲＡＣＨレスポンスを生成する。このＲＡＣＨレスポンスは、データ送信部１４、第２多重部１５、ＲＦ送信部１６にてそれぞれ必要な処理を施された上で送信アンテナ１７から前記ＵＥ４０に向けて送信される。
【０１０１】
上位レイヤ処理部２８は、既述のように、ＰＶＳ生成部１２Ａ，１２Ｂ、ビームフォーマ２５Ａ，２５Ｂで用いる重み係数及びその乗算タイミングと、ＲＡＣＨ受信処理部２６Ａ，２６Ｂそれぞれでの検出対象ＲＡＣＨアクセススロットとを管理し、ビーム指定部２８を介して、あるいは、直接、各処理部に必要な設定を行なう。
【０１０２】
ビーム指定部２９は、上位レイヤ処理部２８からの指示に従って、ＰＶＳ生成部１２Ａ，１２Ｂ、ビームフォーマ２５Ａ，２５Ｂで用いる重み係数及びその乗算タイミングをそれぞれ指定する。
【０１０３】
（ＵＥ４０について）
一方、図１３に示すＵＥ４０は、例えば、受信アンテナ４１、ＲＦ受信部４２、第１分離部４３、データ受信部４４、第２分離部４５、Ｐ−ＳＣＨ受信処理部４６Ａ、Ｓ−ＳＣＨ受信処理部４６Ｂ、受信電力検出部４７Ａ，４７Ｂ、ビーム判定部４８、アクセススロット選択部４９、上位レイヤ処理部５０、ＲＡＣＨ送信部５１、ＲＦ送信部５２、送信アンテナ５３をそなえる。
【０１０４】
受信アンテナ４１は、ＢＳ１０が形成する無線ゾーン（セル）において、ＢＳ１０が送信したＤＬの無線信号を受信する。この受信アンテナ４１は、送信アンテナ５３と共用化されていてもよい。
【０１０５】
ＲＦ受信部４２は、受信アンテナ４１で受信された無線信号について、低雑音増幅、ベースバンド周波数への周波数変換（ダウンコンバート）、ＡＤ変換等の無線受信処理を施して、第１分離部４３へ出力する。
【０１０６】
第１分離部４３は、ＲＦ受信部４２で無線受信処理された受信信号からＳＣＨの信号を分離（検出）し、ＳＣＨの信号は第２分離部４５へ出力し、ＳＣＨ以外の信号はデータ受信部４４へ出力する。
【０１０７】
データ受信部４４は、ＳＣＨ以外のＤＬの受信信号（前記ＲＳや、ＲＡＣＨレスポンス、各種制御データ、ユーザデータ等）を、必要に応じて復調、復号する。
【０１０８】
第２分離部４５は、第１分離部４３からのＳＣＨの信号をＰ−ＳＣＨ及びＳ−ＳＣＨの信号に分離して、Ｐ−ＳＣＨの信号はＰ−ＳＣＨ受信処理部４６Ａに、Ｓ−ＳＣＨの信号はＳ−ＳＣＨ受信処理部４６Ｂにそれぞれ出力する。
【０１０９】
Ｐ−ＳＣＨ受信処理部４６Ａは、受信したＰ−ＳＣＨのパターン（スクランブリング）をキャンセルして、受信電力検出部４７Ａに出力し、同様に、Ｓ−ＳＣＨ受信処理部４６Ｂは、受信したＳ−ＳＣＨのパターンをキャンセルして、受信電力検出部４７Ｂに出力する。
【０１１０】
受信電力検出部４７Ａは、前記パターンキャンセル後のＰ−ＳＣＨの受信電力を検出し、同様に、受信電力検出部４７Ｂは、前記パターンキャンセル後のＳ−ＳＣＨの受信電力を検出する。
【０１１１】
ビーム判定部４８は、前記ビームＡに相当するタイミングでのＰ−ＳＣＨ及びＳ−ＳＣＨの組の受信電力と、前記ビームＢに相当するタイミングでのＰ−ＳＣＨ及びＳ−ＳＣＨの組の受信電力とを比較して、いずれのビームでのＳＣＨの受信状態（受信品質）が良好（あるいは最良）かを判定する。その判定結果は、アクセススロット選択部４９に伝達される。なお、判定対象のビーム（数）は、例えば上位レイヤ処理部５０で管理されており、上位レイヤ処理部５０からビーム判定部４８に対して設定される。
【０１１２】
アクセススロット選択部４９は、前記表１又は表２に示したビームＡ，Ｂ毎のＲＡＣＨアクセススロット（番号）の定義（対応関係）を、前記選択の基礎となるビーム毎スロットデータとしてＲＡＭ等のメモリ４９１に保持しており、ビーム判定部４８による前記判定結果（ＳＣＨの受信品質）を基に、受信状態が良好（あるいは最良）なビームＡ又はＢに対応するＲＡＣＨアクセススロット（番号）を選択し、ＲＡＣＨ送信部５１に通知する。
【０１１３】
つまり、本例のビーム判定部４８及びアクセススロット選択部４９は、ＢＳ１０が形成しうるマルチビーム毎に対応付けられたＲＡＣＨアクセススロット（無線リソース）のいずれかを選択する選択手段としての機能を果たす。
【０１１４】
なお、前記表１又は表２のビーム毎スロットデータは、例えばＢＳ１０からＵＥ４０に対してＢＣＨ等を用いて報知され、その報知情報を上位レイヤ処理部５０が処理することで、上位レイヤ処理部５０によって前記メモリ４９１に設定される。この場合、上位レイヤ処理部５０は、前記ビーム毎スロットデータをＢＳ１０から受信して前記メモリ４９１に設定する設定手段として機能する。もっとも、ビーム毎スロットデータは、当該メモリ４９１に予め設定しておくことも可能である。
【０１１５】
ＲＡＣＨ送信部（送信手段）５１は、アクセススロット選択部４９で選択されたＲＡＣＨアクセススロットにて、ＢＳ１０と無線リンクを確立するための情報であるＲＡＣＨ信号（ＲＡＣＨプリアンブル）を送信する。
【０１１６】
ＲＦ送信部５２は、当該ＲＡＣＨプリアンブルについて、ＤＡ変換や送信無線周波数への周波数変換（アップコンバート）、所定の送信電力への電力増幅等の無線送信処理を施す。
【０１１７】
送信アンテナ５３は、ＲＦ送信部５２により得られたＵＬのＲＡＣＨプリアンブルを、ＢＳ１０に向けて送信する。このＲＡＣＨプリアンブルを受信したＢＳ１０での処理については既述のとおりである。
【０１１８】
以下、本例のＵＥ４０によるＲＡＣＨの受信ビーム選択（指定）、本例のＢＳ１０でのＲＡＣＨの受信処理に着目した動作について、それぞれ図１４及び図１５を併用して説明する。なお、図１４がＵＥ４０での処理、図１５がＢＳ１０での処理をそれぞれ示している。
【０１１９】
まず、図１４に示すように、ＵＥ４０では、電源投入後等において、ＢＳ１０が周期的に送信しているＳＣＨ（Ｐ−ＳＣＨ及びＳ−ＳＣＨ）を、受信アンテナ４１、ＲＦ受信部４２、第１分離部４３、第２分離部４５、Ｐ−ＳＣＨ受信処理部４６Ａ、Ｓ−ＳＣＨ受信処理部４６Ｂにより、受信すると（処理１０１０）、受信電力検出部４７Ａ，４７Ｂにて、ビームＡ，Ｂ毎の受信電力（伝搬路損失）を検出する（処理１０２０）。
【０１２０】
そして、ＵＥ４０は、前記検出した各受信電力をビーム判定部４８にて比較して、受信状態の良好な（伝搬路損失の小さい）ビームを選択（決定）し（処理１０３０）、さらに、アクセススロット選択部４９にて、前記選択したビームに対応するＲＡＣＨアクセススロット（番号）グループを、前記メモリ４９１における表１又は表２のビーム毎スロットデータを参照して選択（決定）し（処理１０４０）、そのグループの中からＲＡＣＨアクセススロット（番号）を１つ選択する（処理１０５０）。
【０１２１】
選択されたＲＡＣＨアクセススロットの情報（番号）は、ＲＡＣＨ送信部５１に通知され、ＲＡＣＨ送信部５１は、そのＲＡＣＨアクセススロットにて、ＲＦ送信部５２、送信アンテナ５３を通じて、ＲＡＣＨプリアンブルをＢＳ１０に対して送信する（処理１０６０）。
【０１２２】
一方、ＢＳ１０では、図１５に示すように、上述のごとくＵＥ４０が送信したＲＡＣＨプリアンブルを、受信アンテナ２１、ＲＦ受信部２２を通じて受信すると（処理２０１０）、コピー部２４にて受信信号がコピーされ、同じ受信信号についてそれぞれビーム指定部２９から指定された重み係数がビームフォーマ２５Ａ，２５Ｂにて乗じられて受信ビームフォーミングが施される。即ち、ＳＣＨを送信したビームＡ，Ｂに用いた重み係数にて形成される受信ビームによる受信信号がビームフォーマ２５Ａ，２５Ｂによりそれぞれ得られる（処理２０２０）。
【０１２３】
そして、ビームＡ，Ｂに対応する受信信号は、それぞれＲＡＣＨ受信処理部２６Ａ，２６Ｂにて、上位レイヤ処理部２８からの指定に従って、ビームＡ，Ｂ毎のＲＡＣＨアクセススロットの検出処理を施される（処理２０３０）。
【０１２４】
それぞれの受信処理の結果、ＲＡＣＨ受信処理部２６Ａ，２６ＢのいずれかでＲＡＣＨ（プリアンブル）の受信が検出されれば（処理２０４０でＹＥＳなら）、ＢＳ１０は、ＲＡＣＨレスポンス生成部２７により、検出されたＲＡＣＨプリアンブルの送信元であるＵＥ４０宛のＲＡＣＨレスポンスを生成し（処理２０５０）、データ送信部１４、第２多重部１５、ＲＦ送信部１６、送信アンテナ１７を通じて、前記ＵＥ４０に向けて送信する（処理２０６０）。なお、ＲＡＣＨプリアンブルが検出されない場合は、ＲＡＣＨレスポンスは生成、送信されない（処理２０４０のＮＯルート）。
【０１２５】
以上のように、本例によれば、ＵＥ４０は、ＢＳ１０が複数の異なるビーム（Ａ，Ｂ）にて送信するＳＣＨの受信状態を基に伝搬路損失の小さいビームを判定、選択し、選択したビームに対応するＲＡＣＨアクセススロット（番号）でＲＡＣＨ送信を行なうので、ＢＳ１０に対してＲＡＣＨ受信に好適あるいは最適なビームを通知（指定）することができる。したがって、ＢＳ１０は、ＲＡＣＨ受信品質が好適あるいは最適になるようにマルチビーム選択受信でき、ＢＳ１０でのＲＡＣＨの受信品質を改善することができる。
【０１２６】
〔３〕第２実施例
図１６は、第２実施例に係るＢＳ１０の構成例を示すブロック図である。ＵＥ４０の構成は、図１３に示した構成と同じで構わない。この図１６に示すＢＳ１０の構成は、図９及び図１０により説明した処理を実現する詳細構成例に対応する。なお、図１６において、図１２中の符号と同一符号を付した構成要素は、特に断らない限り、既述の構成要素と同一若しくは同様の構成要素である。
【０１２７】
即ち、本例のＢＳ１０は、ＳＣＨ（Ｐ−ＳＣＨ，Ｓ−ＳＣＨ）を送信するのに用いたビーム（重み係数）に加えて、当該ビームの指向性に近い別のビームを形成して、これら複数のビームで特定のＲＡＣＨアクセススロットの受信処理を行なうとともに、ＳＣＨを送信するのに用いたビーム以外の受信信号（例えば、個別ＲＡＣＨプリアンブル）について既存のＲＡＣＨ受信処理を実施する。
【０１２８】
例えば、ＢＳ１０は、ＳＣＨの送信ビームＡに対して、当該ビームＡと同じビームを含む複数（３つ）の受信ビームＡ，Ａ１，Ａ２を形成するとともに、ＳＣＨの送信ビームＢに対して、当該ビームＢと同じビームを含む複数（３つ）の受信ビームＢ，Ｂ１，Ｂ２を形成すると仮定するならば、３つのビームＡ，Ａ１，Ａ２（以下、Ａ系ビームともいう）に対応して、ビームフォーマ２５Ａ及びＲＡＣＨ受信処理部２６Ａをそれぞれ３つずつそなえるとともに、ビームＢ，Ｂ１，Ｂ２（以下、Ｂ系ビームともいう）に対応して、ビームフォーマ２５Ｂ及びＲＡＣＨ受信処理部２６Ｂをそれぞれ３つずつそなえる。
【０１２９】
この場合、３つのビームフォーマ２５Ａは、それぞれビーム指定部２９から指定される異なるＡ系ビーム用の重み係数（プリコーディングベクトル）（ただし、１つはＳＣＨの送信ビームＡを形成するのに用いた重み係数）をコピー部２４からの受信信号に乗じることで、ビームＡ，Ａ１，Ａ２の受信信号を分離する。
【０１３０】
同様に、３つのビームフォーマ２５Ｂは、それぞれビーム指定部２９から指定される異なるＢ系ビーム用の重み係数（プリコーディングベクトル）（ただし、１つはＳＣＨの送信ビームＢを形成するのに用いた重み係数）をコピー部２４からの受信信号に乗じることで、ビームＢ，Ｂ１，Ｂ２の受信信号を分離する。
【０１３１】
そして、３つのＲＡＣＨ受信処理部２６Ａは、それぞれ前記分離されたＡ系ビームの受信信号について、ビームＡ用として定義されたＲＡＣＨアクセススロット（番号）の検出処理（ビームＡ用の各ＲＡＣＨプリアンブルパターンとのスロット単位の相関演算処理）を行なう。
【０１３２】
同様に、３つのＲＡＣＨ受信処理部２６Ｂは、それぞれ前記分離されたＢ系ビームの受信信号について、ビームＢ用として定義されたＲＡＣＨアクセススロット（番号）の検出処理（ビームＢ用の各ＲＡＣＨプリアンブルパターンとのスロット単位の相関演算処理）を行なう。
【０１３３】
加えて、本例のＢＳ１０は、Ａ系ビーム用の各ＲＡＣＨ受信処理部２６ＡのいずれかでＲＡＣＨプリアンブルが受信されたことを検出するＲＡＣＨ検出判定部（検出部）３０Ａと、Ｂ系ビーム用の各ＲＡＣＨ受信処理部２６ＢのいずれかでＲＡＣＨプリアンブルが受信されたことを検出するＲＡＣＨ検出判定部（検出部）３０Ｂと、をそなえる。なお、これらのＲＡＣＨ検出判定部３０Ａ，３０Ｂは、図１０に示したように、単一のＲＡＣＨ検出判定部３０として、Ａ系及びＢ系の各ビームに対して共通化されていてもよい。
【０１３４】
これにより、いずれかのＲＡＣＨ受信処理部２６Ａ，２６ＢでＲＡＣＨの受信が検出（ＯＲ検出）されると、ＲＡＣＨレスポンス生成部２７にて、ＲＡＣＨ送信元のＵＥ４０宛のＲＡＣＨレスポンスが生成されて、データ送信部１４、第２多重部１５、ＲＦ送信部１６、送信アンテナ１７を通じて、当該ＵＥ４０に向けて送信される。
【０１３５】
なお、当該ＲＡＣＨ検出判定は、ビーム数＝Ｎ（Ｎは２以上の整数）、ＲＡＣＨアクセススロット番号＝ｉ（ｉは１≦ｉ≦ビーム毎のＲＡＣＨアクセススロット数）として一般化すると、例えば図１７に示すフローチャートで表すことができる。
【０１３６】
即ち、処理３００−１〜３００−Ｎにて、それぞれ、ビーム＃ｊ（ｊ＝１〜Ｎのいずれか）の受信信号についてのＲＡＣＨアクセススロットの検出処理の結果、いずれかのビーム＃ｊのいずれかのＲＡＣＨアクセススロット番号＝ｉでＲＡＣＨプリアンブルの受信が検出されれば（処理３００−１〜３００−ＮのいずれかでＹＥＳなら）、ＲＡＣＨ検出となり（処理３１０）、そうでなければ（処理３００−１〜３００−ＮのいずれにおいてもＮＯなら）、ＲＡＣＨ検出無しとなる（処理３２０）。
【０１３７】
〔４〕上位レイヤ処理
前記表１〜表４に示したようなビーム毎スロットデータは、既述のようにＢＳ１０及びＵＥ４０の双方で共有されるが、その設定は例えば上位レイヤでのシグナリングによって実施することができる。その一例を図１８に示す。
【０１３８】
ＢＳ１０の上位レイヤ処理部２８は、上位レイヤの処理において、システムパラメータ（ＲＡＣＨアクセススロット数やスロット番号等を含む）の設定（変更）指令をオペレータ端末等から受信すると（処理３０１０及び処理３０２０）、上位レイヤ処理部２８は、既述のように、ビーム指定部２９がＰＶＳ形成部１２Ａ，１２Ｂに指定するための情報（ＰＶＳの周期や、重み係数の乗算タイミング、ビーム角等）をビーム指定部２９に与える（処理３０３０）。
【０１３９】
また、上位レイヤ処理部２８は、前記設定（変更）指令に応じて前記表１〜表４のいずれかに示したようなビーム毎スロットデータをビーム指定部２９に設定して、ビーム指定部２９がビームフォーマ２５Ａ，２５Ｂに対して受信ビームを形成する重み係数及びその乗算タイミングを指定することを可能にする（処理３０４０）。
【０１４０】
そして、上位レイヤ処理部２８は、前記のＰＶＳに関する情報やビーム毎スロットデータを例えばＢＣＨにてＵＥ４０へ通知する（処理３０５０）。つまり、この場合の上位レイヤ処理部２８は、マルチビームとＲＡＣＨアクセススロットとの前記対応関係をＵＥ４０へ通知する通知部としての機能を果たす。
【０１４１】
その通知情報は、ＵＥ４０の上位レイヤ処理部５０にて受信され、当該上位レイヤ処理部５０は、当該通知情報を基にＵＥ４０のビーム判定部４８、アクセススロット選択部４９に必要な情報の設定を行なう。
【０１４２】
以上のような上位レイヤ処理により、ＢＳ１０及びＵＥ４０は、それぞれ、第１実施例や第２実施例で述べた動作が可能となる。なお、当該動作の運用適用（開始）は、ＢＳ１０については前記の設定（変更）指令、ＵＥ４０については前記の通知をもって認識することとしてもよいし、個別のメッセージによりＢＳ１０及びＵＥ４０のそれぞれに認識させることとしてもよい。
【０１４３】
〔５〕ＨＯ時の個別ＲＡＣＨアクセススロットの通知
次に、ＲＡＣＨアクセススロットの使用法４として、図４及び前記表４に示した個別ＲＡＣＨアクセススロット（番号）をＵＥ４０に対して複数通知する処理の具体例について、ＵＥ４０のＨＯ時を例に図１９及び図２０を参照しながら説明する。
【０１４４】
図１９及び図２０は、それぞれ、ＵＥ４０がソースＢＳ１０−１からターゲットＢＳ１０−２へ移動してＵＥ４０が接続先をソースＢＳ１０−１からターゲットＢＳ１０−２へ切り替える（ＨＯ）場合の処理を例示している。
【０１４５】
なお、図１９中に示す処理番号（４０７０等）は、図２０中に示す処理番号と対応している。また、ソースＢＳ１０−１及びターゲットＢＳ１０−２は、それぞれ第１実施例又は第２実施例で説明したＢＳ１０と同一若しくは同様の構成を有し、それぞれＰＶＳによって周期的にＳＣＨの送信ビームを切り替えることが可能である。この場合、ＰＶＳによってＳＣＨの送信に用いるビーム数は、ＢＳ１０−１とＢＳ１０−２とで同じでもよいし異なっていてもよい。
【０１４６】
ソースＢＳ１０−１は、ＵＥ４０との通信が継続している場合に（処理４０１０）、ＵＥ４０の移動に伴うＨＯ処理が必要か否かを監視（判定）している（処理４０２０）。例えば、ソースＢ１０−１は、隣接ＢＳや隣接セルの情報を保有しており、当該情報とＵＥ４０からのＵＬの受信電力等の情報に基づいて、ＵＥ４０がターゲットＢＳ１０−２に接続先を切り替えた方が良いか否かの判定を行なう。なお、この判定は、ＵＥ４０単位に行なうのが好ましい。
【０１４７】
その結果、ＨＯ処理の実施が好ましいと判定すると、ソースＢＳ１０−１は、ターゲットＢＳ１０−２に対して、ＨＯ通知（要求）を送信し（処理４０３０）、必要に応じてＵＥ４０宛のＤＬデータを転送（フォワーディング）する（処理４０４０）。なお、ソースＢＳ１０−１とターゲットＢＳ１０−２とは、ＢＳ間インタフェースにより直接の通信路設定が可能であり、前記ＨＯ通知やフォワーディングは、例えば当該通信路経由でなされる。
【０１４８】
さて、前記ＨＯ要求を受信したターゲットＢＳ１０−２は、上位レイヤ処理部２８にて、図４及び前記表４に示したようなビーム毎スロットデータを基に、ターゲットＢＳ１０−２に対するＲＡＣＨ受信のビーム指定に用いることのできるビーム毎のＲＡＣＨアクセススロット（番号）を選択し、それらをＢＳ間インタフェースによりソースＢＳ１０−１へ通知する（処理４０５０，４０６０，４０７０）。
【０１４９】
つまり、この場合の上位レイヤ処理部２８は、マルチビームとＲＡＣＨアクセススロットとの前記対応関係を他のＢＳであるソースＢＳ１０−１へ通知する通知部としての機能を果たす。
【０１５０】
ソースＢＳ１０−１は、ＢＳ間インタフェースを介して受信したＲＡＣＨアクセススロット番号の組を、ＵＥ４０との間で確立済みの無線リンク（ＤＬの無線チャネル）にてＵＥ４０に通知する（処理４０８０）。
【０１５１】
この通知を受けたＵＥ４０は、上位レイヤ処理部５０により、ビーム判定部４８及びアクセススロット選択部４９に対して、ターゲットＢＳ１０−２に対してＲＡＣＨ受信を要求するビームを指定するのに用いることのできるＲＡＣＨアクセススロット（番号）の設定を行なう。
【０１５２】
その後、ＵＥ４０は、ターゲットＢＳ１０−２からＢＣＨを受信し（処理４０９０）、さらにＳＣＨ（Ｐ−ＳＣＨ，Ｓ−ＳＣＨ）を受信すると（処理４１００）、図１４に示したフローチャートと同様にして、ＰＶＳによる複数ビームのうち受信状態の良好な（伝搬路損失の小さい）ビームをビーム判定部４８にて選択（判定）する。
【０１５３】
そして、ＵＥ４０は、前記ソースＢＳ１０−１経由でターゲットＢＳ１０−２から通知されたＲＡＣＨアクセススロットの中から、前記選択したビームに対応する個別ＲＡＣＨアクセススロットをアクセススロット選択部４９にて選択し、その個別ＲＡＣＨアクセススロットにてＵＬの個別ＲＡＣＨプリアンブルの送信、つまりはターゲットＢＳ１０−２への初期接続要求を、ＲＡＣＨ送信部５１により行なう（処理４１１０）。
【０１５４】
この個別ＲＡＣＨプリアンブルがターゲットＢＳ１０−２（ＲＡＣＨ受信処理部２６Ａ，２６Ｂ）にて正しく受信されると、当該個別ＲＡＣＨプリアンブルの送信元であるＵＥ４０宛のＲＡＣＨレスポンスがＲＡＣＨレスポンス生成部２７にて生成されて、当該ＵＥ４０へ送信され、その後、ＵＥ４０とターゲットＢＳ１０−２との間の接続（無線リンク）が確立されて通信が可能となる（処理４１２０）。
【０１５５】
以上のように、本例によれば、ＵＥ４０のＨＯ処理の過程において、ターゲットＢＳ１０−２に対してＵＥ４０がＲＡＣＨ受信のビーム指定に用いることのできるビーム毎のＲＡＣＨアクセススロット（番号）を、ソースＢＳ１０−１経由でＵＥ４０に通知するので、ターゲットＢＳ１０−２におけるＲＡＣＨの受信品質をも改善することが可能となる。
【０１５６】
〔６〕その他
なお、上述した例においては、マルチビームと対応付けられる無線リソースの一例が、ＲＡＣＨアクセススロットである場合について説明したが、前記ＲＡＣＨのようにＲＳやパイロット等の既知の信号を用いて伝搬路トレーニングを行なうことができないか、困難な他の無線チャネルであれば、上述した例と同様に、その無線チャネルの無線リソースとマルチビームとの対応付けを行なうことで、当該無線チャネルの受信側での受信品質を改善することが可能である。
【０１５７】
〔７〕付記
（付記１）
無線端末と、マルチビーム形成を行なって前記無線端末と情報の送受信を行なう無線基地局と、をそなえた無線通信システムにおける通信方法であって、
前記無線端末は、
前記無線基地局と無線リンクを確立するための情報を、前記無線基地局が形成しうるマルチビーム毎に対応付けられた無線リソースのいずれかにて送信し、
前記無線基地局は、
前記マルチビーム毎に前記無線リソースの受信処理を行なう、
ことを特徴とする、無線通信システムにおける通信方法。
【０１５８】
（付記２）
前記無線リソースは、周波数又は時間領域で分割されたアップリンクのランダムアクセスチャネルの無線リソースである、又はランダムアクセスチャネルの無線リソースを符号化で分けたアクセススロットの無線リソースである、ことを特徴とする、付記１記載の無線通信システムにおける通信方法。
【０１５９】
（付記３）
前記無線端末が前記情報を送信する前記無線リソースは、前記無線基地局からマルチビームにて受信された情報のビーム毎の受信品質に基づいて選択される、ことを特徴とする、付記１記載の無線通信システムにおける通信方法。
【０１６０】
（付記４）
前記選択される無線リソースは、前記受信品質が最良のビームに対応する無線リソースである、ことを特徴とする、付記３記載の無線通信システムにおける通信方法。
【０１６１】
（付記５）
前記無線基地局の前記受信処理は、前記マルチビームの形成に用いた重み係数と同じ重み係数を用いた受信ビームフォーミングを含む、ことを特徴とする、付記３又は４に記載の無線通信システムにおける通信方法。
【０１６２】
（付記６）
前記マルチビームのうち隣接するいずれか複数が、同じ無線リソースと対応付けられたことを特徴とする、付記１〜５のいずれか１項に記載の無線通信システムにおける通信方法。
【０１６３】
（付記７）
前記無線基地局は、
前記マルチビーム毎の前記受信処理のいずれかで、前記無線リソースにて前記無線端末が送信した情報の受信が検出されると、その応答情報を前記無線端末へ送信する、
ことを特徴とする、付記１〜６のいずれか１項に記載の無線通信システムにおける通信方法。
【０１６４】
（付記８）
第１の前記無線基地局は、
前記マルチビームと前記無線リソースとの対応関係を前記無線端末又は他の第２の無線基地局へ通知する、
ことを特徴とする、付記１〜７のいずれか１項に記載の無線通信システムにおける通信方法。
【０１６５】
（付記９）
前記第１の無線基地局は、前記無線端末のハンドオーバ先の基地局であり、前記第２の無線基地局は、前記無線端末のハンドオーバ元の基地局である、ことを特徴とする、付記８記載の無線通信システムにおける通信方法。
【０１６６】
（付記１０）
前記ハンドオーバ元の基地局は、
前記ハンドオーバ先の基地局から通知された前記対応関係を前記無線端末に通知する、ことを特徴とする、付記９記載の無線通信システムにおける通信方法。
【０１６７】
（付記１１）
無線端末と、マルチビーム形成を行なって前記無線端末と情報の送受信を行なう無線基地局と、をそなえた無線通信システムにおける前記無線端末であって、
前記無線基地局が形成しうるマルチビーム毎に対応付けられた無線リソースのいずれかを選択する選択手段と、
前記選択手段で選択された無線リソースにて前記無線基地局と無線リンクを確立するための情報を送信する送信手段と、
をそなえたことを特徴とする、無線通信システムにおける無線端末。
【０１６８】
（付記１２）
前記選択手段は、
前記無線基地局からマルチビームにて受信された情報のビーム毎の受信品質に基づいて、前記無線リンクを確立するための情報を送信する前記無線リソースを選択する、ことを特徴とする、付記１１記載の無線通信システムにおける無線端末。
【０１６９】
（付記１３）
前記選択手段は、
前記受信品質が最良のビームに対応する無線リソースを選択する、ことを特徴とする、付記１２記載の無線通信システムにおける無線端末。
【０１７０】
（付記１４）
前記選択手段は、
前記選択の基礎となる、前記マルチビームと前記無線リソースとの対応関係を保持するメモリをそなえたことを特徴とする、付記１１〜１３のいずれか１項に記載の無線通信システムにおける無線端末。
【０１７１】
（付記１５）
前記対応関係を前記無線基地局から受信して前記メモリに設定する設定手段をさらにそなえたことを特徴とする、付記１４記載の無線通信システムにおける無線端末。
【０１７２】
（付記１６）
無線端末と、マルチビーム形成を行なって前記無線端末と情報の送受信を行なう無線基地局と、をそなえた無線通信システムにおける前記無線基地局であって、
前記マルチビームを形成して前記無線端末宛の情報を送信する送信手段と、
前記マルチビーム毎に対応付けられた無線リソースのいずれかにて前記無線端末が送信した無線リンク確立のための情報を、前記マルチビームに対応する受信マルチビーム毎の無線リソース受信処理により検出する、受信手段と、
をそなえたことを特徴とする、無線通信システムにおける無線基地局。
【０１７３】
（付記１７）
前記受信手段は、
前記送信手段で前記マルチビームの形成に用いた重み係数と同じ重み係数を用いて前記受信マルチビームの形成を行なう受信ビームフォーマをそなえた、ことを特徴とする、付記１６記載の無線通信システムにおける無線基地局。
【０１７４】
（付記１８）
前記受信手段は、
前記受信マルチビーム毎の前記無線リソース受信処理のいずれかで、前記無線リソースにて前記無線端末が送信した情報が受信されたことを検出する検出部と、
前記検出部で前記受信が検出されると、前記無線端末宛の応答情報を生成して前記無線端末へ送信する応答情報生成部と、
をそなえたことを特徴とする、付記１６又は１７に記載の無線通信システムにおける無線基地局。
【０１７５】
（付記１９）
前記送信手段は、
前記マルチビームと前記無線リソースとの対応関係を前記無線端末又は他の無線基地局へ通知する通知部をさらにそなえた、ことを特徴とする、付記１６〜１８のいずれか１項に記載の無線通信システムにおける無線基地局。
【０１７６】
（付記２０）
前記無線端末へ通知する前記対応関係は、前記無線端末のハンドオーバ先の基地局から通知される、ことを特徴とする、付記１９記載の無線通信システムにおける無線基地局。
【図面の簡単な説明】
【０１７７】
【図１】ＰＶＳの概要を説明する模式図である。
【図２】ＰＶＳでのＵＥにおける伝搬路推定（トレーニング）の概要を説明する模式図である。
【図３】ＲＡＣＨアクセススロットの使用法１を説明する模式図である。
【図４】ＲＡＣＨアクセススロットの使用法２を説明する模式図である。
【図５】ＲＡＣＨアクセススロット（ＲＡＣＨプリアンブル）の送信フォーマット例を示す図である。
【図６】図５に示す送信フォーマットにおけるＲＡＣＨアクセススロットの位置付けを説明する図である。
【図７】ＲＡＣＨアクセススロットの使用法５を説明する図である。
【図８】ＢＳでのＲＡＣＨ受信処理の概要を説明するブロック図である。
【図９】ＢＳでのＲＡＣＨ受信処理の変形例の概要を説明するブロック図である。
【図１０】ＢＳでのＲＡＣＨ受信処理の他の変形例の概要を説明するブロック図である。
【図１１】ＵＥがＤＬの伝搬路をトレーニングするタイミングを説明するシーケンス図である。
【図１２】第１実施例に係るＢＳの詳細構成例を示すブロック図である。
【図１３】第１実施例に係るＵＥの詳細構成例を示すブロック図である。
【図１４】図１３に示すＵＥでの処理を説明するフローチャートである。
【図１５】図１２に示すＢＳでの処理を説明するフローチャートである。
【図１６】第２実施例に係るＢＳの詳細構成例を示すブロック図である。
【図１７】図１６に示すＢＳでのＲＡＣＨ検出判定処理を説明するフローチャートである。
【図１８】図１２及び図１６に示すＢＳでの上位レイヤ処理を説明するフローチャートである。
【図１９】第１実施例及び第２実施例のＵＥのＨＯに伴うＢＳによる個別ＲＡＣＨアクセススロットの割り当て処理を説明する模式図である。
【図２０】図１９に示す割り当て処理を詳細に説明するシーケンス図である。
【図２１】従来のＵＥがＲＡＣＨ送信を行なうまでの処理を説明するシーケンス図である。
【符号の説明】
【０１７８】
１０  無線基地局（ＢＳ又はeNodeB）
１０−１  ＨＯ元ＢＳ（ソースＢＳ）
１０−２  ＨＯ先ＢＳ（ターゲットＢＳ）
１１Ａ  Ｐ−ＳＣＨ生成部
１１Ｂ  Ｓ−ＳＣＨ生成部
１２Ａ，１２Ｂ  ＰＶＳ形成部
１３  第１多重部
１４  データ送信部
１５  第２多重部
１６  ＲＦ送信部
１７  送信アンテナ
２１  受信アンテナ
２２  ＲＦ受信部
２３  データ受信部
２４  コピー部（メモリ）
２５，２５Ａ，２５Ｂ  ビームフォーマ（受信ビームフォーマ）
２６Ａ，２６Ｂ，２６Ｃ  ＲＡＣＨ受信処理部
２７  ＲＡＣＨレスポンス生成部
２８  上位レイヤ処理部
２９  ビーム指定部
３０Ａ，３０Ｂ  ＲＡＣＨ検出判定部
４０  ユーザ端末（無線端末）（ＵＥ）
４１  受信アンテナ
４２  ＲＦ受信部
４３  第１分離部
４４  データ受信部
４５  第２分離部
４６Ａ  Ｐ−ＳＣＨ受信処理部
４６Ｂ  Ｓ−ＳＣｈ受信処理部
４７Ａ，４７Ｂ  受信電力検出部
４８  ビーム判定部
４９  アクセススロット選択部
４９１  メモリ
５０  上位レイヤ処理部
【図１】
0005588594.tif 000006
【図２】
0005588594.tif 000007
【図３】
0005588594.tif 000008
【図４】
0005588594.tif 000009
【図５】
0005588594.tif 000010
【図６】
0005588594.tif 000011
【図７】
0005588594.tif 000012
【図８】
0005588594.tif 000013
【図９】
0005588594.tif 000014
【図１０】
0005588594.tif 000015
【図１１】
0005588594.tif 000016
【図１２】
0005588594.tif 000017
【図１３】
0005588594.tif 000018
【図１４】
0005588594.tif 000019
【図１５】
0005588594.tif 000020
【図１６】
0005588594.tif 000021
【図１７】
0005588594.tif 000022
【図１８】
0005588594.tif 000023
【図１９】
0005588594.tif 000024
【図２０】
0005588594.tif 000025
【図２１】
0005588594.tif 000026